(57)【要約】【課題】  本発明は、消費電力を抑え、かつ十分なパフォーマンスを維持可能な情報再生システム、情報再生駆動制御方法、該方法を実行するためのプログラム及び該プログラムを格納したコンピュータ読み取り可能な記録媒体を提供することを目的とする。【解決手段】  本発明の情報再生駆動制御方法によれば、ホスト装置で前記情報再生装置に供給している電源の種類を判別し、判別した電源の種類を前記情報再生装置に通知する。そして、情報再生装置でホスト装置から通知された電源の種別によって光ディスクの再生速度の上限を制限する。【選択図】        図２
2005141850.tif 000002
【特許請求の範囲】
【請求項１】
ホスト装置と、複数の種類の電源が接続可能であり、光ディスクからのデータの再生を行う情報再生装置とを含んで構築されている情報再生システムにおいて、
前記ホスト装置は、前記情報再生装置に供給している電源の種類を判別する判別手段と、該判別手段によって判別した電源の種類を前記情報再生装置に通知する通知手段とを有し、
前記情報再生装置は、前記ホスト装置から前記通知手段によって通知された電源の種別によって光ディスクの再生速度の上限を制限する再生速度上限制限手段を有することを特徴とする情報再生システム。
【請求項２】
前記情報再生装置は、前記ホスト装置から前記通知手段によって通知された電源の種別によって前記再生速度上限制限手段による光ディスクの再生速度の上限に対する制限を解除する解除手段を有する請求項１記載の情報再生システム。
【請求項３】
前記再生速度上限制限手段による光ディスクの再生速度の上限を制限するか否かを選択可能とする選択手段を設けた請求項１記載の情報再生システム。
【請求項４】
光ディスクから読み出すデータ量に応じて光ディスクの再生速度の上限を可変して設定する再生速度上限設定手段を設けた請求項１〜３のいずれかに記載の情報再生システム。
【請求項５】
前記再生速度上限設定手段による光ディスクの再生速度の上限の値を光ディスクから読み出すデータ量に応じて予め複数の制御パターンで作成し、当該複数の制御パターンから選択する制御パターン選択手段を設けた請求項４記載の情報再生システム。
【請求項６】
ホスト装置と、複数の種類の電源が接続可能であり、光ディスクからのデータの再生を行う情報再生装置とを含んで構築されている情報再生システムであって、前記情報再生装置における再生時前記光ディスクの回転駆動を制御する情報再生駆動制御方法において、
前記ホスト装置で前記情報再生装置に供給している電源の種類を判別する判別工程と、
判別した電源の種類を前記情報再生装置に通知する通知工程と、
前記情報再生装置で前記ホスト装置から通知された電源の種別によって光ディスクの再生速度の上限を制限する再生速度上限制限工程と
を有することを特徴とする情報再生駆動制御方法。
【請求項７】
ホスト装置と、複数の種類の電源が接続可能であり、光ディスクからのデータの再生を行う情報再生装置とを含んで構築されている情報再生システムであって、前記情報再生装置における再生時前記光ディスクの回転駆動を制御する情報再生駆動制御方法において、
コンピュータにより、前記ホスト装置で前記情報再生装置に供給している電源の種類を判別する判別機能と、該判別機能によって判別した電源の種類を前記情報再生装置に通知する通知機能と、前記情報再生装置で前記ホスト装置から前記通知機能によって通知された電源の種別によって光ディスクの再生速度の上限を制限する再生速度上限制限機能とを有することを特徴とする情報再生駆動制御方法を実行するためのプログラム。
【請求項８】
請求項７記載の情報再生駆動制御方法を実行するためのプログラムを格納したコンピュータ読み取り可能な記録媒体。
【発明の詳細な説明】
【技術分野】
【０００１】
本発明は情報再生システム、情報再生方法、該方法を実行するためのプログラム及び該プログラムを格納したコンピュータ読み取り可能な記録媒体に関し、詳細にはＤＶＤ再生装置、ＣＤ再生装置などの光ディスクドライブ装置及びバッテリ駆動で動作するノート型ＰＣにおける消費電力の低減技術に関する。
【背景技術】
【０００２】
近年、光ディスクなどの記録媒体からデータの再生が可能であるドライブ装置は高速化の一途をたどっており、ディスク再生速度の高速化がなされている。また、バッテリで駆動可能なノート型ＰＣが普及しており、それに伴いドライブ装置の低消費電力化が重要視されている。そこで、例えば一定時間ディスクにアクセスがない場合、あるいはディスクが挿入されていない場合などには低消費電力モードに移行するといった機能を有するドライブ装置が従来よりいくつか提案されている。
【０００３】
その従来例の一つとしての特許文献１は、ドライブ装置に使用されている電源種類を検知する使用電源検知手段を有し、その検知信号に基づいてドライブ装置の性能を変化させるように制御することにより、商用電源使用時は高性能な高速動作モードで動作し、バッテリ使用時は省電力な低速動作モードで動作するようにしたものである。
【特許文献１】特開平０８−０８７８１８号公報
【発明の開示】
【発明が解決しようとする課題】
【０００４】
しかしながら、上述したような低消費電力モードに移行する機能を有する情報再生装置でも、データ再生等でディスクにアクセスする場合には最高速で読み出しを行うため、電力をより消費してしまうことになる。また、特許文献１におけるＣＤ−ＲＯＭドライブ装置はホストコンピュータからの電源で動作しているので、ＣＤ−ＲＯＭドライブ装置へ供給される電源はホストコンピュータで安定化して供給されるものである。つまり、ＡＣ電源使用時はＤＣ電源に整流して安定化されてからＣＤ−ＲＯＭドライブ装置に供給され、またＤＣ電源であるバッテリ使用時も安定化されてからＣＤ−ＲＯＭドライブ装置に供給されるものである。よって、ＣＤ−ＲＯＭドライブ装置に供給される電源は共に安定化したＤＣ電源であるため、ＣＤ−ＲＯＭドライブ装置自体がホストコンピュータで使用されている電源の種類を検知することは困難である。更に、ノート型ＰＣは手軽に持ち運びすることが可能であるため、ＡＣ電源駆動の途中でバッテリ駆動に切り替えたり、逆にバッテリ駆動の途中でＡＣ電源に切り替えたり、などの使われ方をされる場合がある。しかし、例えばＡＣ電源駆動の途中でバッテリ駆動に切り替えた場合には再生速度を制限していないため、より多くの電力を消費してしまうことになり、またバッテリ駆動の途中でＡＣ電源に切り替えた場合には、再生速度が制限されているためデータ読み出し時に十分なパフォーマンスを得ることができない、などの不具合が生じてしまう。
【０００５】
本発明はこれらの問題点を解決するためのものであり、消費電力を抑え、かつ十分なパフォーマンスを維持可能な情報再生システム、情報再生駆動制御方法、該方法を実行するためのプログラム及び該プログラムを格納したコンピュータ読み取り可能な記録媒体を提供することを目的とする。
【課題を解決するための手段】
【０００６】
前記問題点を解決するために、本発明の情報再生システムは、ホスト装置と、複数の種類の電源が接続可能であり、光ディスクからのデータの再生を行う情報再生装置とを含んで構築されている。そして、本発明の情報再生システムによれば、ホスト装置は、情報再生装置に供給している電源の種類を判別する判別手段と、この判別手段によって判別した電源の種類を情報再生装置に通知する通知手段とを有しており、また情報再生装置は、ホスト装置から通知手段によって通知された電源の種別によって光ディスクの再生速度の上限を制限する再生速度上限制限手段を有することに特徴がある。よって、例えばバッテリ駆動時にはドライブ装置でディスク再生速度の上限を制限することにより、低回転でディスクにアクセスすることになるため消費電力を抑えることができる。
【０００７】
また、情報再生装置は、ホスト装置から通知手段によって通知された電源の種別によって再生速度上限制限手段による光ディスクの再生速度の上限に対する制限を解除する解除手段を有することにより、例えばバッテリ駆動の途中でＡＣ電源に切り替えた場合に再生速度の上限に対する制限を解除することによりデータ読み出し時に十分なパフォーマンスを得ることができる。
【０００８】
更に、再生速度上限制限手段による光ディスクの再生速度の上限を制限するか否かを選択可能とする選択手段を設けたことにより、使用するユーザが低消費電力優先か、パフォーマンス優先かを選択でき、操作性を向上させることができる。
【０００９】
また、光ディスクから読み出すデータ量に応じて光ディスクの再生速度の上限を可変して設定する再生速度上限設定手段を設けたことにより、消費電力及びパフォーマンスを適切に設定できる。
【００１０】
更に、再生速度上限設定手段による光ディスクの再生速度の上限の値を光ディスクから読み出すデータ量に応じて予め複数の制御パターンで作成し、当該複数の制御パターンから選択する制御パターン選択手段を設けたことにより、複雑な光ディスクの再生速度の上限の値も、より簡単に、かつ適切に設定でき、操作性が向上する。
【発明の効果】
【００１１】
本発明によれば、消費電力を抑え、かつ十分なパフォーマンスを維持できる。
【発明を実施するための最良の形態】
【００１２】
本発明の情報再生駆動制御方法によれば、ホスト装置で前記情報再生装置に供給している電源の種類を判別し、判別した電源の種類を前記情報再生装置に通知する。そして、情報再生装置でホスト装置から通知された電源の種別によって光ディスクの再生速度の上限を制限する。
【実施例】
【００１３】
図１は本発明の情報再生駆動制御方法を適用する情報再生システムのシステム構成を示す概略図である。ここで、同図に示す情報再生システムは、情報再生装置１００とホストコンピュータ３００とがホストインタフェース（以下ホストＩ／Ｆと略す）を介して接続されて構築されたシステムである。先ず、情報再生装置１００において、光ディスク２００はモータ１１により回転駆動させられる。モータ１１は回転制御部１２により線速度または角速度が一定になるように制御される。この線速度または角速度は段階的に変更が可能である。ピックアップ１３はレーザ駆動回路１４によって光ディスク２００にレーザ光を照射し、データを読み取る機能を有する。また、アクチュエータ制御部１５はレーザスポットが目的の場所に位置するよう制御する。ピックアップ１３で得られた再生データは、信号制御部１６で制御される。この再生データをそのままバッファメモリ１７に蓄えるか、データの伸長処理等を行ってからバッファメモリ１７に蓄えるかはドライブコントローラ１８によって制御される。ドライブコントローラ１８は、光情報再生装置全体の制御を行うと共に、内蔵されたＲＯＭに格納された本発明の情報再生駆動制御方法を実行するプログラムに基づいて内蔵するＣＰＵによって処理する。また、ドライブコントローラ１８は、ATAPIコントローラ１９を通じてATAPIコマンドを受信することにより、ＲＯＭに格納された本発明の情報再生駆動制御方法を実行するプログラムに基づいてＣＰＵによる処理の開始を制御したり、バッファメモリ１７に蓄えられたデータを読み出してATAPIコントローラ１９及びホストＩ／Ｆを介してホストコンピュータ３００への送信の制御を行う。なお、光情報再生装置１００とホストコンピュータ３００を繋ぐホストＩ／Ｆには、ATAPI、SCSI、USB、IEEE1394などがある。
【００１４】
次に、本発明の第１の実施例に係る情報再生駆動制御方法の動作について当該動作フローを示す図２に従って説明する。
はじめに、本実施例の情報再生駆動制御方法の概略を説明すると、上述したように従来の情報再生システムにおける情報再生装置はホストコンピュータの電源状態を知ることができない。従って、バッテリ駆動であってもデータ再生等でディスクにアクセスする場合には最高速で読み出しを行うこととなり、バッテリの消費を早めてしまっていた。そこで、本発明では、ホストコンピュータが情報再生装置に対して電源の種類を通知し、通知された電源の種類に応じて情報再生装置での光ディスクの再生速度の上限を制限することにより、電力の消費を抑えるものである。図２において、先ず図１のホストコンピュータ３００から情報再生装置１００へ電源の種類を通知させるための図３に示すATAPIコマンドを受信し（ステップＳ１０１）、図４に示す転送データの供給電源種別を参照して使用している電源の種類を把握する（ステップＳ１０２）。そして、使用している電源がバッテリであった場合には（ステップＳ１０３；ＹＥＳ）、再生速度の上限を所定の速度に制限し、電力の消費を抑える（ステップＳ１０２）。また、使用している電源がバッテリでなくてＡＣ電源であった場合には（ステップＳ１０３；ＮＯ）、再生速度の上限を制限しないため、十分なパフォーマンスを得ることができる。
【００１５】
次に、本発明の第２の実施例に係る情報再生駆動制御方法の動作について当該動作フローを示す図５に従って説明する。
はじめに、本実施例の情報再生駆動制御方法の概略を説明すると、上述したように手軽に持ち運びが可能であるノート型ＰＣでは、使用している最中に電源の種類が変更される場合がある。このような場合においても本実施例では変更された電源に応じて電力の消費を抑え、またはデータ読み出し時に十分なパフォーマンスを得ることができるようにしたものである。図１のホストコンピュータ３００は常時電源の状態を監視しており、電源の種類が変更されたら、図３に示すATAPIコマンドを情報再生装置１００側に送信する。情報再生装置１００では、当該コマンドを受信することによって、電源の種類が変更されたことを知ることができるのである。図５において、先ず図１のホストコンピュータ３００から情報再生装置１００へ電源状態を通知させるための図３のATAPIコマンドを受信し（ステップＳ２０１）、図４の転送データの供給電源種別を参照して使用している電源の種類を把握する（ステップＳ２０２）。そして、使用している電源がバッテリであった場合には（ステップＳ２０３；ＹＥＳ）、既に再生速度の上限を制限しているかをチェックし（ステップＳ２０４）、再生速度の上限が制限されていなければ（ステップＳ２０４；ＮＯ）、再生速度の上限を所定の速度に制限し（ステップＳ２０５）、電力の消費を抑える。また、変更された電源がバッテリでなくＡＣ電源であった場合でも（ステップＳ２０３；ＮＯ）、再生速度の上限が制限されているかをチェックし（ステップＳ２０６）、もし再生速度の上限が所定の速度に制限されていた場合には（ステップＳ２０６；ＹＥＳ）、再生速度の制限を解除することにより（ステップＳ２０７）、十分なパフォーマンスを得ることができるようにする。
【００１６】
なお、上記各実施例ではバッテリ駆動時は再生速度の上限を制限しているため、電力の消費は抑えられるが再生パフォーマンスは低下してしまう。しかし、例えばバッテリ駆動でも短時間しか使用しないときなどには、電力の消費を抑えるよりもパフォーマンスを優先した方がいい場合もあるため、ユーザが低消費電力優先か、パフォーマンス優先かを選択できる選択手段を情報再生装置１００又はホストコンピュータ３００に設けてもよい。よって、ユーザによりバッテリ駆動でもパフォーマンス優先と選択された場合には、図１のホストコンピュータ３００から図３のATAPIコマンドを情報再生装置１００に送信するのを禁止することで、情報再生装置１００は再生速度の上限を制限することがなくなり、パフォーマンスを優先することができる。ここで、このようにユーザが選択可能とする選択手段としては、ＯＳもしくはアプリケーションプログラムから設定できるものであって簡単な方法であることが望ましい。
【００１７】
また、図４の転送データを図６に示すような制御パターンとし、図１の情報再生装置１００は当該データのPower Saving Levelフィールドの設定値により再生速度の上限の制限速度を決定してもよい。
【００１８】
更に、各実施例おいて、上限を設定する場合における所定の回転速度の例を示すと、図１のモータ１１のトルクに対する電流、回転速度、出力及び効率の関係を示す図７からわかるように、モータ１１、例えばスピンドルモータ（ＤＣモータ）の効率が最大となる点（効率Ｍａｘ）は、無負荷回転速度と最大出力回転数の間にあるときである。また、出力が最大になるのは、無負荷回転速度の１／２のところである。ただし、スピンドルモータには通常光ディスクが搭載されているので、無負荷とはならず図面のような理想的な関係にならない。そこで、上限を設定する場合の所定の回転速度は、装置全体の効率が最大となるように設定する。具体的には、無負荷回転速度（最大回転速度）と最大出力回転数の間に設定する。または、無負荷回転速度と無負荷回転速度の１／２の回転速度の間に設定する。更には光ディスクを搭載した場合の最大回転速度と最大出力回転数の間に設定しても良い。また、回転速度が遅くなるとその分だけレーザ光の照射時間が長くなるので、このレーザ光の照射による消費電力も考慮しなければならない。すなわち、回転速度を変化させてもレーザパワーの出力を一定に保つとすると、回転速度が１／２になるとレーザ光の照射時間は２倍となり、よって２倍の電力を消費することとなる。そこで、読み出すべきデータの量に応じて上限の回転速度を可変して設定する再生速度上限設定手段を情報再生装置１００又はホストコンピュータ３００に設けてもよい。例えば、データを所定量以上読み出す場合には、無負荷回転速度（最大回転速度）と最大出力回転数（又は無負荷回転速度の１／２の回転速度）の間でも無負荷回転速度側に回転速度を設定し、所定量より少ない場合最大出力回転数側に回転速度を設定する。
【００１９】
次に、図８は本発明の情報再生駆動制御方法の各実施例を実行するプログラムを起動するための具体的な装置の構成を示すブロック図である。つまり、同図は上記実施例における情報再生駆動制御方法によるソフトウェアを実行するマイクロプロセッサ等から構築されるハードウェアを示すものである。同図において、情報再生駆動制御システムはインターフェース（以下Ｉ／Ｆと略す）８１、ＣＰＵ８２、ＲＯＭ８３、ＲＡＭ８４、表示装置８５、ハードディスク８６、キーボード８７及びＣＤ−ＲＯＭドライブ８８を含んで構成されている。また、汎用の処理装置を用意し、ＣＤ−ＲＯＭなどの読取可能な記録媒体８９には、本発明の情報再生駆動制御方法を実行するプログラムが記憶されている。更に、Ｉ／Ｆ８１を介して外部装置から制御信号が入力され、キーボード８７によって操作者による指令又は自動的に本発明のプログラムが起動される。そして、ＣＰＵ８２は当該プログラムに従って上述の情報再生駆動制御方法に伴う制御処理を施し、その処理結果をＲＡＭ８４やハードディスク８６等の記憶装置に格納し、必要により表示装置８５などに出力する。以上のように、本発明の情報再生駆動制御方法を実行するプログラムが記録した記録媒体を用いることにより、既存のシステムを変えることなく、制御システムを汎用的に構築することができる。
【００２０】
なお、本発明は上記実施例に限定されるものではなく、特許請求の範囲内の記載であれば多種の変形や置換可能であることは言うまでもない。
【図面の簡単な説明】
【００２１】
【図１】本発明の情報再生駆動制御方法を適用する光情報再生装置の構成を示す概略図である。
【図２】本発明の第１の実施例に係る情報再生駆動制御方法の動作を示すフローチャートである。
【図３】ATAPIコマンドの一例を示す図である。
【図４】転送データの一例を示す図である。
【図５】本発明の第２の実施例に係る情報再生駆動制御方法の動作を示すフローチャートである。
【図６】転送データの別の例を示す図である。
【図７】モータのトルクに対する電流、回転速度、出力及び効率の関係を示す特性図である。
【図８】本発明の情報再生駆動制御方法の各実施例を実行するプログラムを起動するための具体的な装置の構成を示すブロック図である。
【符号の説明】
【００２２】
１１；モータ、１２；回転制御部、１３；ピックアップ、
１４；レーザ駆動回路、１５；アクチュエータ制御部、
１６；信号制御部、１７；バッファメモリ、１８；ドライブコントローラ、
１９；ATAPIコントローラ、１００；光情報再生装置、２００；光ディスク、
３００；ホストコンピュータ。
【図１】
2005141850.tif 000003
【図２】
2005141850.tif 000004
【図３】
2005141850.tif 000005
【図４】
2005141850.tif 000006
【図５】
2005141850.tif 000007
【図６】
2005141850.tif 000008
【図７】
2005141850.tif 000009
【図８】
2005141850.tif 000010